(57)【要約】  【課題】  パレンタルレベルの変更の際に、ユーザの特定手順のキー操作により、パレンタルレベル変更画面を表示し、また、ユーザ以外の者にはパレンタルレベルの変更を行うことができなくなるようにして、高い精度のパレンタル機能を有する光ディスク再生装置を提供する。  【解決手段】  初回の電源投入時または初回でない電源投入時に電源キーを除くキーは、一時的にパレンタルレベル変更用のキーとして用いることができるようにキー機能が変更される。このキー機能変更状態で選択したキーを特定手順で押下して得られたキー情報はメモリに格納される。パレンタルレベルを変更する際には、選択したキーを特定手順で押下して得られたキー情報が前記メモリに格納されているキー情報と一致すれば、パレンタルレベル変更画面がディスプレイ装置に表示される。【選択図】      図３
2006048815.tif 000002
【特許請求の範囲】
【請求項１】
光ディスクから再生する情報を制限するために設定されるパレンタルレベルを変更する
機能を有する光ディスク再生装置において、初回の電源投入時または初回でない電源投入
時に電源キーを除くキーを一時的にパレンタルレベル変更用のキーとして用いることがで
きるようにキー機能を変更するキー機能変更手段と、初回の電源投入時に前記キー機能変
更状態で選択したキーを特定手順で押下して得られたキー情報をメモリに格納するキー情
報格納手段と、キー入力処理が開始したときに装置の電源の投入が初回であるか否かを判
定する電源投入判定手段と、この電源投入判定手段により電源の投入が初回であると判定
された場合にキー設定画面をディスプレイ装置に表示させるキー設定画面表示手段と、前
記電源投入判定手段により電源の投入が初回でないと判定された場合に前記キー情報が前
記メモリに格納されて設定済みであるか否かを判定するキー設定済み判定手段と、このキ
ー設定済み判定手段によりキー情報の設定済みと判定された場合に選択したキーを特定手
順で押下して得られたキー情報が前記メモリに格納されているキー情報と一致するか否か
を判定するキー情報判定手段と、前記両キー情報が一致すると判定された場合にパレンタ
ルレベル変更画面をディスプレイ装置に表示させるパレンタルレベル変更画面表示手段と
を有するシステムコントローラを備えたことを特徴とする光ディスク再生装置。
【請求項２】
光ディスクから再生する情報を制限するために設定されるパレンタルレベルを変更する
機能を有する光ディスク再生装置において、初回の電源投入時または初回でない電源投入
時に電源キーを除くキーを一時的にパレンタルレベル変更用のキーとして用いることがで
きるようにキー機能を変更し、このキー機能変更状態で選択したキーを特定手順で押下し
て得られたキー情報をメモリに格納し、パレンタルレベルを変更する際に、選択したキー
を特定手順で押下して得られたキー情報が前記メモリに格納されているキー情報と一致す
れば、パレンタルレベル変更画面をディスプレイ装置に表示させるシステムコントローラ
を備えたことを特徴とする光ディスク再生装置。
【請求項３】
前記システムコントローラは、初回の電源投入時または初回でない電源投入時に電源キ
ーを除くキーを一時的にパレンタルレベル変更用のキーとして用いることができるように
キー機能を変更するキー機能変更手段と、初回の電源投入時に前記キー機能変更状態で選
択したキーを特定手順で押下して得られたキー情報をメモリに格納するキー情報格納手段
とを有することを特徴とする請求項２に記載の光ディスク再生装置。
【請求項４】
前記システムコントローラは、キー入力処理が開始したときに装置の電源の投入が初回
であるか否かを判定する電源投入判定手段と、この電源投入判定手段により電源の投入が
初回であると判定された場合にキー設定画面をディスプレイ装置に表示させるキー設定画
面表示手段と、前記電源投入判定手段により電源の投入が初回でないと判定された場合に
前記キー情報が前記メモリに格納されて設定済みであるか否かを判定するキー設定済み判
定手段と、このキー設定済み判定手段によりキー情報の設定済みと判定された場合に選択
したキーを特定手順で押下して得られたキー情報が前記メモリに格納されているキー情報
と一致するか否かを判定するキー情報判定手段と、前記両キー情報が一致すると判定され
た場合にパレンタルレベル変更画面をディスプレイ装置に表示させるパレンタルレベル変
更画面表示手段とを有することを特徴とする請求項３に記載の光ディスク再生装置。
【発明の詳細な説明】
【技術分野】
【０００１】
本発明は、光ディスクに記録された情報を再生する光ディスク再生装置に関し、特に、
視聴制限を行うパレンタル機能を有する光ディスク再生装置に関する。
【背景技術】
【０００２】
近年、ＤＶＤ（Digital Versatile Disk）などの光ディスクが普及しつつあり、このＤ
ＶＤにはデジタル圧縮された映像情報および音声情報が記録されている。ところで、ＤＶ
Ｄに記録されている映画などには、暴力シーンやわいせつシーンなど、子供の教育上好ま
しくないシーンが含まれていることが多い。そこで、近年、このような教育上問題のある
シーンについては、その再生に対して何らかの視聴制限の規制が設けられている。このよ
うな規制をパレンタルと呼び、ＤＶＤなどの光ディスクには内容に応じて視聴制限を行う
パレンタルレベルが予め設定されている。
【０００３】
一方、ＤＶＤなどの光ディスクの情報を再生する光ディスク再生装置では、光ディスク
の情報の再生を制限するパレンタル機能を有し、ユーザにより設定された装置のパレンタ
ルレベルがメモリに記憶されている。例えば、パレンタルレベルが低い方から順番に１，
２，３，４，５，６，７，８のレベルがあり、装置のパレンタルレベルが５に設定されて
いる場合、光ディスクではパレンタルレベル５以下の情報が再生できるが、パレンタルレ
ベル６，７，８の情報は再生することができないようになっている。
【０００４】
装置のパレンタルレベルは、ユーザが光ディスク再生装置のリモートコントローラなど
を操作して任意に設定できるようになっている。また、装置のパレンタルレベルを変更す
るときは、ユーザが予め登録した数桁の数列からなる暗証番号をパスワードとして装置に
入力し、パレンタルロックを解除してパレンタルレベルの変更を行っている。また、パレ
ンタルレベル変更用のハード的な変更スイッチを備え、その変更スイッチに鍵を付加し、
その鍵を解除して変更スイッチを設定変更可能にし、パレンタルレベルの変更を行うよう
に構成された光ディスク再生装置も知られているが、鍵を紛失した場合には、パレンタル
レベルの変更を行うことができなくなる。
【特許文献１】特開昭６３−５０１８４号公報
【特許文献２】特開平８−３３９６６４号公報
【特許文献３】特開平１０−１４３９８１号公報
【発明の開示】
【発明が解決しようとする課題】
【０００５】
しかしながら、従来の光ディスク再生装置においては、視聴制限を行うパレンタルレベ
ルが設定されている光ディスク、即ち、視聴の年齢制限がある光ディスクの情報を再生す
るのに、視聴権限を有するユーザが自分のパスワードを入力しなければならないので、そ
の入力操作が面倒であり、また、家庭内などにおいて、視聴権限を有するユーザがパスワ
ードの入力操作を行っているときに、視聴権限を有しない子供が、そのパスワードを見て
覚えたりすると、後で、その子供が、そのパスワードを入力すれば、その光ディスクの情
報を再生することが可能になり、したがって、視聴の年齢制限がある光ディスクであって
も自由に視聴することができ、パレンタル機能の信頼性が劣るという課題が生じる。
【０００６】
なお、特許文献１の従来技術は、ＴＶ受信装置において特殊接続状態にしてパレンタル
コードを表示するようになっているが、パレンタルの対象はＴＶ受信装置であり、ＴＶ受
信装置でパレンタルロックをかけた後、パレンタルコードが分からなくなったときに、ど
うにかして表示したいけれども、通常の表示の仕方であると、直ぐにパレンタルコードが
本人以外の人に分かってしまうので、出力端子を本人しか分からない特殊な接続状態にし
ておいて、パレンタルコードを表示したときに、出力端子を特殊な接続状態にしてパレン
タルコードを表示させている。しかし、この従来技術は、ＴＶ受信装置におけるパレンタ
ル機能であり、光ディスク再生装置におけるパレンタル機能に関するものではない。
【０００７】
特許文献２の従来技術は、記録媒体でパレンタルレベルを制御するものであり、その制
御のために予めディスクの管理領域や、ある区間のデータ領域に制限情報を書き込んでお
いて、その制限情報に基づいて、国や地域ごとにパレンタルレベルを制御するようになっ
ている。しかし、この従来技術は、ユーザが自由にパレンタルレベルを変更できるように
なっている光ディスク再生装置に関するものではないので、本件とは関連性がない。
【０００８】
特許文献３の従来技術は、パレンタルレベルの変更制御を行うものであり、設定モード
に入っているときにキーを連続押し、もしくはある一定以上の時間、キーを押したときに
、設定画面を表示するようにしている。しかし、この従来技術では、パレンタルレベルの
変更を行うには、設定モードにしておかないとできなくて、また、設定モードキーは限定
されており、他のキーには割り当てることができず、所定の動作でしなくてはならず、ま
た、パレンタルレベルの変更にはパスワードが必要となる。
【０００９】
本発明は、上記のような課題を解決するためになされたもので、パレンタルレベルの変
更の際に、ユーザの特定手順のキー操作によりパレンタルレベル変更画面を表示し、また
、その特定手順のキー操作を用いることにより、ユーザ以外の者にはパレンタルレベルの
変更を行うことができなくなるようにし、これにより、高い精度のパレンタル機能を有す
る光ディスク再生装置を提供することを目的とする。
【課題を解決するための手段】
【００１０】
上記目的を達成するために、請求項１の発明は、光ディスクから再生する情報を制限す
るために設定されるパレンタルレベルを変更する機能を有する光ディスク再生装置におい
て、初回の電源投入時または初回でない電源投入時に電源キーを除くキーを一時的にパレ
ンタルレベル変更用のキーとして用いることができるようにキー機能を変更するキー機能
変更手段と、初回の電源投入時に前記キー機能変更状態で選択したキーを特定手順で押下
して得られたキー情報をメモリに格納するキー情報格納手段と、キー入力処理が開始した
ときに装置の電源の投入が初回であるか否かを判定する電源投入判定手段と、この電源投
入判定手段により電源の投入が初回であると判定された場合にキー設定画面をディスプレ
イ装置に表示させるキー設定画面表示手段と、前記電源投入判定手段により電源の投入が
初回でないと判定された場合に前記キー情報が前記メモリに格納されて設定済みであるか
否かを判定するキー設定済み判定手段と、このキー設定済み判定手段によりキー情報の設
定済みと判定された場合に選択したキーを特定手順で押下して得られたキー情報が前記メ
モリに格納されているキー情報と一致するか否かを判定するキー情報判定手段と、前記両
キー情報が一致すると判定された場合にパレンタルレベル変更画面をディスプレイ装置に
表示させるパレンタルレベル変更画面表示手段とを有するシステムコントローラを備えた
ことを特徴とする光ディスク再生装置を提供する。
【００１１】
この構成において、初回の電源投入時または初回でない電源投入時には、電源キーを除
くキーは、キー機能変更手段により、一時的にパレンタルレベル変更用のキーとしてキー
機能が変更される。初回の電源投入時には、前記キー機能変更状態で選択したキーを特定
手順で押下して得られたキー情報が、キー情報格納手段によりメモリに格納される。電源
投入判定手段により電源の投入が初回であると判定された場合には、キー設定画面がキー
設定画面表示手段によりディスプレイ装置に表示される。電源投入判定手段により電源の
投入が初回でないと判定された場合には、前記キー情報が前記メモリに格納されて設定済
みであるか否かが判キー設定済み判定手段により判定される。そして、キー情報の設定済
みと判定された場合には、選択したキーを特定手順で押下して得られたキー情報が、メモ
リに格納されているキー情報と一致するか否かがキー情報判定手段により判定され、前記
両キー情報が一致すると判定された場合、パレンタルレベル変更画面がパレンタルレベル
変更画面表示手段によりディスプレイ装置に表示される。
【００１２】
この構成によれば、パレンタルレベルの変更の際に、ユーザの特定手順のキー操作によ
りパレンタルレベル変更画面を表示することができるので、パレンタルロック変更を制限
するためにパスワードの設定、あるいは変更スイッチに鍵を付加するなどを行う必要がな
くなり、ユーザにとっては、パレンタルレベル変更の操作が簡単となり、また、パスワー
ドを覚えることに比べて前記特定手順のキー操作は覚えやすいので、忘れることも少なく
、使い勝手が良い。また、ユーザが特定手順のキー操作を用いることにより、ユーザ以外
の者（例えば子供）にはパレンタルレベルの変更を行うことができなくなり、これにより
、パレンタル機能の精度が高まる。
【００１３】
請求項２の発明は、光ディスクから再生する情報を制限するために設定されるパレンタ
ルレベルを変更する機能を有する光ディスク再生装置において、初回の電源投入時または
初回でない電源投入時に電源キーを除くキーを一時的にパレンタルレベル変更用のキーと
して用いることができるようにキー機能を変更し、このキー機能変更状態で選択したキー
を特定手順で押下して得られたキー情報をメモリに格納し、パレンタルレベルを変更する
際に、選択したキーを特定手順で押下して得られたキー情報が前記メモリに格納されてい
るキー情報と一致すれば、パレンタルレベル変更画面をディスプレイ装置に表示させるシ
ステムコントローラを備えたことを特徴とする光ディスク再生装置を提供する。
【００１４】
この構成において、初回の電源投入時または初回でない電源投入時に電源キーを除くキ
ーは、一時的にパレンタルレベル変更用のキーとして用いることができるようにキー機能
が変更される。このキー機能変更状態で選択したキーを特定手順で押下して得られたキー
情報はメモリに格納される。パレンタルレベルを変更する際には、選択したキーを特定手
順で押下して得られたキー情報が前記メモリに格納されているキー情報と一致すれば、パ
レンタルレベル変更画面がディスプレイ装置に表示される。
【００１５】
この構成によれば、パレンタルレベルの変更の際に、ユーザの特定手順のキー操作によ
りパレンタルレベル変更画面を表示することができるので、パレンタルロック変更を制限
するためにパスワードの設定、あるいは変更スイッチに鍵を付加するなどを行う必要がな
くなり、ユーザにとっては、パレンタルレベル変更の操作が簡単となり、また、パスワー
ドを覚えることに比べて前記特定手順のキー操作は覚えやすいので、忘れることも少なく
、使い勝手が良い。また、ユーザが特定手順のキー操作を用いることにより、ユーザ以外
の者（例えば子供）にはパレンタルレベルの変更を行うことができなくなり、これにより
、パレンタル機能の精度が高まる。
【００１６】
請求項３の発明では、前記システムコントローラは、初回の電源投入時または初回でな
い電源投入時に電源キーを除くキーを一時的にパレンタルレベル変更用のキーとして用い
ることができるようにキー機能を変更するキー機能変更手段と、初回の電源投入時に前記
キー機能変更状態で選択したキーを特定手順で押下して得られたキー情報をメモリに格納
するキー情報格納手段とを有するので、初回の電源投入時または初回でない電源投入時に
は、電源キーを除くキーを一時的にパレンタルレベル変更用のキーとすることができ、初
回の電源投入時には、前記キー機能変更状態で選択したキーを特定手順で押下して得られ
たキー情報をメモリに格納することができる。
【００１７】
請求項４の発明では、前記システムコントローラは、キー入力処理が開始したときに装
置の電源の投入が初回であるか否かを判定する電源投入判定手段と、この電源投入判定手
段により電源の投入が初回であると判定された場合にキー設定画面をディスプレイ装置に
表示させるキー設定画面表示手段と、前記電源投入判定手段により電源の投入が初回でな
いと判定された場合に前記キー情報が前記メモリに格納されて設定済みであるか否かを判
定するキー設定済み判定手段と、このキー設定済み判定手段によりキー情報の設定済みと
判定された場合に選択したキーを特定手順で押下して得られたキー情報が前記メモリに格
納されているキー情報と一致するか否かを判定するキー情報判定手段と、前記両キー情報
が一致すると判定された場合にパレンタルレベル変更画面をディスプレイ装置に表示させ
るパレンタルレベル変更画面表示手段とを有するので、パレンタルレベルの変更の際に、
ユーザの特定手順のキー操作によりパレンタルレベル変更画面を表示することができるの
で、パレンタルレベル変更の操作が簡単になるような構成を実現できる。
【発明の効果】
【００１８】
以上のように本発明によれば、初回の電源投入時または初回でない電源投入時に電源キ
ーを除くキーを一時的にパレンタルレベル変更用のキーとして用いることができるように
キー機能を変更するキー機能変更手段と、初回の電源投入時に前記キー機能変更状態で選
択したキーを特定手順で押下して得られたキー情報をメモリに格納するキー情報格納手段
と、キー入力処理が開始したときに装置の電源の投入が初回であるか否かを判定する電源
投入判定手段と、この電源投入判定手段により電源の投入が初回であると判定された場合
にキー設定画面をディスプレイ装置に表示させるキー設定画面表示手段と、前記電源投入
判定手段により電源の投入が初回でないと判定された場合に前記キー情報が前記メモリに
格納されて設定済みであるか否かを判定するキー設定済み判定手段と、このキー設定済み
判定手段によりキー情報の設定済みと判定された場合に選択したキーを特定手順で押下し
て得られたキー情報が前記メモリに格納されているキー情報と一致するか否かを判定する
キー情報判定手段と、前記両キー情報が一致すると判定された場合にパレンタルレベル変
更画面をディスプレイ装置に表示させるパレンタルレベル変更画面表示手段とを有するシ
ステムコントローラを備えたので、パレンタルレベルの変更の際に、ユーザの特定手順の
キー操作によりパレンタルレベル変更画面を表示することができ、これにより、パレンタ
ルロック変更を制限するためにパスワードの設定、あるいは変更スイッチに鍵を付加する
などを行う必要がなくなり、ユーザにとっては、パレンタルレベル変更の操作が簡単とな
り、また、パスワードを覚えることに比べて前記特定手順のキー操作は覚えやすいので、
忘れることも少なく、使い勝手が良い。また、ユーザが特定手順のキー操作を用いること
により、ユーザ以外の者（例えば子供）にはパレンタルレベルの変更を行うことができな
くなり、これにより、パレンタル機能の精度が高まる。
【００１９】
また、本発明によれば、初回の電源投入時または初回でない電源投入時に電源キーを除
くキーを一時的にパレンタルレベル変更用のキーとして用いることができるようにキー機
能を変更し、このキー機能変更状態で選択したキーを特定手順で押下して得られたキー情
報をメモリに格納し、パレンタルレベルを変更する際に、選択したキーを特定手順で押下
して得られたキー情報が前記メモリに格納されているキー情報と一致すれば、パレンタル
レベル変更画面をディスプレイ装置に表示させるシステムコントローラを備えたので、パ
レンタルレベルの変更の際に、ユーザの特定手順のキー操作によりパレンタルレベル変更
画面を表示することができ、これにより、パレンタルロック変更を制限するためにパスワ
ードの設定、あるいは変更スイッチに鍵を付加するなどを行う必要がなくなり、ユーザに
とっては、パレンタルレベル変更の操作が簡単となり、また、パスワードを覚えることに
比べて前記特定手順のキー操作は覚えやすいので、忘れることも少なく、使い勝手が良い
。また、ユーザが特定手順のキー操作を用いることにより、ユーザ以外の者（例えば子供
）にはパレンタルレベルの変更を行うことができなくなり、これにより、パレンタル機能
の精度が高まる。
【発明を実施するための最良の形態】
【００２０】
以下、添付図面を参照しつつ、本発明の実施の形態について説明する。図１は本発明の
一実施形態に係る光ディスク再生装置の構成を示すブロック図である。
【００２１】
この光ディスク再生装置は、光ディスク１を回転させるスピンドルモータ５と、光ディ
スク１に記録された情報を再生するためのレーザ光を出射すると共に光ディスク１からの
反射光を受光する光ピックアップ２と、この光ピックアップ２を光ディスク１の半径方向
に移動させるためのスレッド３と、システムコントローラ２２の指示に応じてスピンドル
モータ５およびスレッド３を駆動すると共に光ピックアップ２に内蔵された対物レンズ（
図示せず）を動かすことによりレーザ光の焦点位置を光ディスク１の記録面に対して垂直
方向および水平方向に移動させる制御を行うサーボ制御部４とを備えている。
【００２２】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２３】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２４】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２５】
また、この光ディスク再生装置は、システムコントローラ２２に対して、再生指示を与
えるための再生キー（図示せず）、再生停止を指示するための停止キー（図示せず）、そ
の他各種操作キー（図示せず）を有する操作部２１と、装置全体を制御する前記システム
コントローラ２２とを備えている。操作部２１は、リモコン（リモートコントローラ）２
６からの操作指令を示す光信号を受信する受光手段（図示せず）を備え、この受光手段に
より光信号を電気信号に変換してシステムコントローラ２２に指令信号を入力する。リモ
コン２６は、電源キー２６１、再生キー２６２、停止キー２６３、早送りキー２６４、そ
の他各種操作キーを有している。
【００２６】
また、この光ディスク再生装置は、装置の各構成要素を制御したり、装置全体を制御し
たりするためのプログラムやデータなどを記憶するフラッシュＲＯＭ２３と、このフラッ
シュＲＯＭ２３のプログラムやデータに従って演算処理を行いシステムコントローラ２２
を制御するＣＰＵ２４と、操作部２１またはリモコン２６からの操作内容などを表示した
りする本体側の表示手段である表示部２５とを備えている。
【００２７】
システムコントローラ２２は、本実施形態の特徴とする構成要素として、初回の電源投
入時または初回でない電源投入時に例えばリモコン２６の電源キー２６１を除くキー（例
えば、再生キー２６２、停止キー２６３、早送りキー２６４など）を一時的にパレンタル
レベル変更用のキーとして用いることができるようにキー機能を変更するキー機能変更手
段２２１と、初回の電源投入時に前記キー機能変更状態で選択したキーを特定手順で押下
して得られたキー情報をフラッシュＲＯＭ２３に格納するキー情報格納手段２２２とを有
する。
【００２８】
また、システムコントローラ２２は、キー入力処理が開始したときに装置の電源の投入
が初回であるか否かを判定する電源投入判定手段２２３と、この電源投入判定手段２２３
により電源の投入が初回であると判定された場合にキー設定画面をディスプレイ装置２０
に表示させるキー設定画面表示手段２２４と、前記電源投入判定手段２２３により電源の
投入が初回でないと判定された場合に前記キー情報がフラッシュＲＯＭ２３に格納されて
設定済みであるか否かを判定するキー設定済み判定手段２２５と、このキー設定済み判定
手段２２５によりキー情報の設定済みと判定された場合に選択したキーを特定手順で押下
して得られたキー情報がフラッシュＲＯＭ２３に格納されているキー情報と一致するか否
かを判定するキー情報判定手段２２６と、前記両キー情報が一致すると判定された場合に
パレンタルレベル変更画面をディスプレイ装置２０に表示させるパレンタルレベル変更画
面表示手段２２７とを有する。
【００２９】
図２は本実施形態においてパレンタルレベル変更処理を説明するためのフローチャート
である。このフローチャートを参照してパレンタルレベル変更処理について説明する。
【００３０】
キー受信処理がスタートして（ステップＳ１）、キー入力処理が行われる（ステップＳ
２）。即ち、ユーザが光ディスク再生装置の購入後、初回の電源投入時または初回でない
電源投入時に、例えばリモコン２６の電源キー２６１を除くキー（再生キー２６２、停止
キー２６３、早送りキー２６４、その他のキー）を、一時的にパレンタルレベル変更用の
キーとして用いることができるようにキー機能の変更がシステムコントローラ２２のキー
機能変更手段２２１により行われる。したがって、キー機能変更が行われている状態で、
再生キー２６２、停止キー２６３、早送りキー２６４などを押下しても、本来のキーとし
ては作用せず、パレンタルレベル変更用のキーとして作用し、これらのキーをユーザが決
める特定手順で押下すると、この特定手順で押下されたキーの信号によるキー情報がキー
情報格納手段２２２によりフラッシュＲＯＭ２３に格納される。
【００３１】
このようなキー入力処理が行われる際、このときの電源投入の状態が初回の電源投入で
あれば（ステップＳ３）、例えば、図４に示すようなキー設定画面４１がキー設定画面表
示手段２２４の処理によりディスプレイ装置２０に表示される（ステップＳ４）。
【００３２】
なお、図４に示すキー設定画面４１においては、３種類以上のキーを押して、その後、
決定キーを押すと、パレンタルレベル変更キーが設定されることを意味し、また、何も設
定しない場合は、クリアキーのみを１回押せば、普通に設定する設定項目が追加されるこ
とを意味する。
【００３３】
一方、初回の電源投入でなければ、キー設定済み判定手段２２５によりキー設定済みで
あるか否かが判定される（ステップＳ５）。このキー設定済み判定手段２２５によりキー
情報の設定済みと判定された場合に、選択したキーを特定手順で押下して得られたキー情
報がフラッシュＲＯＭ２３に格納されているキー情報と一致するか否かがキー情報判定手
段２２６により判定される（ステップＳ６）。
【００３４】
ステップＳ６の入力キーチェック処理は、図３に示すフローチャートの処理に従って行
われる。入力キーチェック処理がスタートし（ステップＮ１）、キー入力処理が行われ（
ステップＮ２）、設定キーと入力キーとが等しいか否かが判定される（ステップＮ３）。
設定キーと入力キーとが等しい場合、比較終了するまで、ステップＮ２〜ステップＮ４ま
での処理が行われ、比較終了すれば（ステップＮ４）、パレンタルレベル変更画面表示手
段２２７の処理により、例えば、図５に示すようなパレンタルレベル変更画面５１がディ
スプレイ装置２０に表示される（ステップＮ５）。
【００３５】
例えば、３個のキーを特定手順で設定されてフラッシュＲＯＭ２３に格納されたキー情
報と、３個のキーを特定手順で入力して得られたキー情報とが一致したということがキー
情報判定手段２２６により判定された場合、パレンタルレベル変更画面５１がディスプレ
イ装置２０に表示される。図５に示すパレンタルレベル変更画面５１において、変更適用
を選ぶと、パレンタルレベル変更後のレベル「８」が適用され、変更破棄を選んだ場合は
、変更は行われないことを示す。
【００３６】
設定キーと入力キーとが一致しない場合は（ステップＮ３）、この入力キーチェック処
理は終了する（ステップＮ６）。この後は通常の待ち処理に戻る。また、キー設定済みで
ないと判定された場合は（ステップＳ５）、各キーは本来の動作に用いるキーとして作用
するので、各キーを操作することにより各種動作を行うことができる（ステップＳ７）。
【００３７】
以上説明したように本実施形態によれば、パレンタルレベルの変更の際に、ユーザの特
定手順のキー操作によりパレンタルレベル変更画面を表示することができるので、パレン
タルロック変更を制限するためにパスワードの設定、あるいは変更スイッチに鍵を付加す
るなどを行う必要がなくなり、ユーザにとっては、パレンタルレベル変更の操作が簡単と
なり、また、パスワードを覚えることに比べて前記特定手順のキー操作は覚えやすいので
、忘れることも少なく、使い勝手が良い。また、ユーザが特定手順のキー操作を用いるこ
とにより、ユーザ以外の者（例えば子供）にはパレンタルレベルの変更を行うことができ
なくなり、これにより、パレンタル機能の精度が高まる。
【図面の簡単な説明】
【００３８】
【図１】本発明の一実施形態に係る光ディスク再生装置の構成を示すブロック図である。
【図２】前記実施形態においてパレンタルレベル変更処理を説明するためのフローチャートである。
【図３】図２中の入力キーチェック処理を説明するためのフローチャートである。
【図４】前記実施形態においてディスプレイ装置に表示されるキー設定画面の一例を示す図である。
【図５】前記実施形態においてディスプレイ装置に表示されるパレンタルレベル変更画面の一例を示す図である。
【符号の説明】
【００３９】
１    光ディスク
２０    ディスプレイ装置
２２    システムコントローラ
２３    フラッシュＲＯＭ（メモリ）
４１    キー設定画面
５１    パレンタルレベル変更画面
２２１    キー機能変更手段
２２２    キー情報格納手段
２２３    電源投入判定手段
２２４    キー設定画面表示手段
２２５    キー設定済み判定手段
２２６    キー情報判定手段
２２７    パレンタルレベル変更画面表示手段
【図１】
2006048815.tif 000003
【図２】
2006048815.tif 000004
【図３】
2006048815.tif 000005
【図４】
2006048815.tif 000006
【図５】
2006048815.tif 000007